(57)【要約】【課題】操作者と表示部との位置関係に影響される操作性を考慮して表示部を制御し、当該操作性を向上させることができる、表示制御システム、表示制御方法、及び表示制御プログラムを提供すること。【解決手段】表示制御システム１は、操作入力を受け付ける操作ボタンを画面内に表示するタッチパネル２１と、タッチパネル２１の操作者と当該タッチパネル２１との位置関係に起因してタッチパネル２１の操作性に影響を与える要因を特定する操作性情報を取得する操作性情報取得部３１ａと、操作性情報に基づいて、画面内の操作ボタンの位置を制御する表示制御部３１ｂとを備える。【選択図】図２
2010108185.tif 000002
【特許請求の範囲】
【請求項１】
操作入力を受け付けるボタンを画面内に表示する表示部と、
前記表示部の操作者と当該表示部との位置関係に起因して当該表示部の操作性に影響を与える要因を特定する操作性情報を取得する操作性情報取得手段と、
前記操作性情報に基づいて、前記画面内の前記ボタンの位置を制御する制御手段と、
を備えることを特徴とする表示制御システム。
【請求項２】
前記操作性情報は、前記表示部と前記操作者との間の物体の存在に関する物体情報であること、
を特徴とする請求項１に記載の表示制御システム。
【請求項３】
前記操作性情報は、前記表示部と前記操作者との間の距離を特定する距離情報であること、
を特徴とする請求項１又は２に記載の表示制御システム。
【請求項４】
前記操作性情報は、前記表示部に対する前記操作者の操作入力角度を特定する操作入力角度情報であること、
を特徴とする請求項１から３のいずれか一項に記載の表示制御システム。
【請求項５】
前記制御手段は、前記操作性情報に基づいて、前記表示部が前記ボタンに対する前記操作入力を検出する検出領域の位置又は形状の少なくともいずれか一方を制御すること、
を特徴とする請求項１から４のいずれか一項に記載の表示制御システム。
【請求項６】
操作入力を受け付けるボタンを表示部の画面内に表示する表示ステップと、
前記表示部の操作者と当該表示部との位置関係に起因して当該表示部の操作性に影響を与える要因を特定する操作性情報を取得する操作性情報取得ステップと、
前記操作性情報に基づいて、前記画面内の前記ボタンの位置を制御する制御ステップと、
を含むことを特徴とする表示制御方法。
【請求項７】
請求項６に記載の方法をコンピュータに実行させることを特徴とする表示制御プログラム。
【発明の詳細な説明】
【技術分野】
【０００１】
本発明は、表示制御システム、表示制御方法、及び表示制御プログラムに関する。
【背景技術】
【０００２】
従来、カーナビゲーションやカーオーディオ等の各種車載機器において、各種の画像を表示すると共に、これら車載機器に対する操作入力を受け付けるためのタッチパネルが用いられている。このタッチパネルは、一般に、各種の画像を表示するディスプレイと、各種の操作入力を受け付ける操作入力パネルとを、相互に近接配置して構成されている。そして、ディスプレイに操作ボタンの画像を表示し、この操作ボタンの表示領域に対応する操作入力パネルの操作領域が押圧されることで、操作入力を受け付ける。
【０００３】
例えば、ディスプレイと操作入力パネルとを離間させた構造が提案されており、このような構造において、操作入力パネルに対する操作者の操作動作を検出し、当該操作動作が検出されたときに、誤操作が生じないように、ディスプレイに表示されているスイッチ画像が操作入力パネルに近接するようにスイッチ画像の形態を変更する車両用情報表示装置が提案されている（例えば、特許文献１参照）。
【０００４】
【特許文献１】特開２００６−１０６８５１号公報
【発明の開示】
【発明が解決しようとする課題】
【０００５】
しかしながら、上述の如き従来の装置では、操作者とタッチパネルとの位置関係が考慮されておらず、操作性が低下する可能性があった。従って、例えば、操作者の位置からタッチパネルを操作した場合に、タッチパネルの位置によっては、操作ボタンが車載機器等の障害物によって遮蔽される等、操作性が低下する可能性があった。
【０００６】
本発明は、上記に鑑みてなされたものであって、操作者と表示部との位置関係に影響される操作性を考慮して表示部を制御し、当該操作性を向上させることができる、表示制御システム、表示制御方法、及び表示制御プログラムを提供することを目的とする。
【課題を解決するための手段】
【０００７】
上述した課題を解決し、目的を達成するために、請求項１に記載の表示制御システムは、操作入力を受け付けるボタンを画面内に表示する表示部と、前記表示部の操作者と当該表示部との位置関係に起因して当該表示部の操作性に影響を与える要因を特定する操作性情報を取得する操作性情報取得手段と、前記操作性情報に基づいて、前記画面内の前記ボタンの位置を制御する制御手段とを備えることを特徴とする。
【０００８】
また、請求項２に記載の表示制御システムは、請求項１に記載の表示制御システムにおいて、前記操作性情報は、前記表示部と前記操作者との間の物体の存在に関する物体情報であることを特徴とする。
【０００９】
また、請求項３に記載の表示制御システムは、請求項１又は２に記載の表示制御システムにおいて、前記操作性情報は、前記表示部と前記操作者との間の距離を特定する距離情報であることを特徴とする。
【００１０】
また、請求項４に記載の表示制御システムは、請求項１から３のいずれか一項に記載の表示制御システムにおいて、前記操作性情報は、前記表示部に対する前記操作者の操作入力角度を特定する操作入力角度情報であることを特徴とする。
【００１１】
また、請求項５に記載の表示制御システムは、請求項１から４のいずれか一項に記載の表示制御システムにおいて、前記制御手段は、前記操作性情報に基づいて、前記表示部が前記ボタンに対する前記操作入力を検出する検出領域の位置又は形状の少なくともいずれか一方を制御することを特徴とする。
【００１２】
また、請求項６に記載の表示制御方法は、操作入力を受け付けるボタンを表示部の画面内に表示する表示ステップと、前記表示部の操作者と当該表示部との位置関係に起因して当該表示部の操作性に影響を与える要因を特定する操作性情報を取得する操作性情報取得ステップと、前記操作性情報に基づいて、前記画面内の前記ボタンの位置を制御する制御ステップとを含むことを特徴とする。
【００１３】
また、請求項７に記載の表示制御プログラムは、請求項６に記載の方法をコンピュータに実行させることを特徴とする。
【発明の効果】
【００１４】
請求項１に記載の表示制御システム、請求項６に記載の表示制御方法、及び請求項７に記載の表示制御プログラムによれば、操作者と表示部との位置関係に起因して当該表示部の操作性に影響を与える要因を特定する操作性情報に基づいて、表示部の画面内のボタンの位置を制御するので、操作性を向上させることができる。
【００１５】
また、請求項２に記載の表示制御システムによれば、操作性情報は、表示部と操作者との間の物体の存在に関する物体情報であるので、物体により遮蔽されることなく操作者が操作可能な位置にボタンを表示させることができる。
【００１６】
また、請求項３に記載の表示制御システムによれば、操作性情報は、表示部と操作者との間の距離を特定する距離情報であるので、シートに着座している操作者が姿勢を変えることなく操作可能な位置にボタンを表示させることができる。
【００１７】
また、請求項４に記載の表示制御システムによれば、操作性情報は、表示部に対する操作者の操作入力角度を特定する操作入力角度情報であるので、操作性が良好となる位置にボタンを表示させることができる。
【００１８】
また、請求項５に記載の表示制御システムによれば、制御手段は、操作性情報に基づいて、表示部がボタンに対する操作入力を検出する検出領域の位置又は形状の少なくともいずれか一方を制御するので、表示されているボタンの位置から操作入力された位置がずれている場合であっても当該操作を検出することができ、ボタンの操作性を向上させることができる。
【発明を実施するための最良の形態】
【００１９】
以下、本発明に係る表示制御システム、表示制御方法、及び表示制御プログラムの各実施の形態について図面を参照しつつ詳細に説明する。ただし、各実施の形態によって本発明が限定されるものではない。
【００２０】
〔実施の形態１〕
最初に、実施の形態１について説明する。この形態は、表示部に表示されるボタンの位置を制御する形態である。
【００２１】
（構成）
図１は実施の形態１に係る表示制御システムの外観を例示する斜視図、図２は表示制御システムを例示するブロック図である。図２に示すように、この表示制御システム１は、シートセンサ１０、モニタ２０、及び表示制御装置３０を備えている。
【００２２】
（構成−シートセンサ）
シートセンサ１０は、運転席、助手席、後部座席等の各シートの位置やリクライニング角度を検出し、表示制御装置３０に出力するものであり、公知のポテンショメータ等を用いることができる。
【００２３】
（構成−モニタ）
モニタ２０は、タッチパネル２１、タッチパネルセンサ２２、及びカメラ２３を備えている。
【００２４】
（構成−モニタ−タッチパネル）
タッチパネル２１は、操作入力を受け付ける操作ボタン２４を画面内に表示するとともに、経路案内情報及び警告情報等の各種情報を表示する表示部である。「操作ボタン２４」は、操作を受け付ける位置の指標であってタッチパネル２１の画面内に表示される「操作ボタン画像」と、操作ボタン画像の表示位置に対応付けて設定される領域であって、当該領域に対する操作入力を対応する操作ボタン画像に対する操作入力として検出する「検出領域」とから構成される。また、検出領域は、操作ボタン画像と略同一の位置に略同一の形状の領域として設定され、操作ボタン画像と共に移動や変形等の制御が行われる。以下の説明においては、「操作ボタン２４の表示」とは、操作ボタン画像の表示、及び当該操作ボタン画像の表示位置に対応する検出領域の設定を含んでいるものとする。なお、タッチパネル２１が表示する操作ボタン２４には、操作者に押圧されることにより所定信号を出力する押しボタンや、画面をスクロールさせるためのスクロールバー（例えば、スクロールさせる方向に沿って画面の端部に設けられた長方形のボックス）等が含まれる。このタッチパネル２１は、図１に示したように、例えばリンク式の支持構造により、所定の方向に移動及び回動可能に支持されている。タッチパネル２１としては、液晶ディスプレイや有機ＥＬディスプレイの如きフラットパネルディスプレイと、抵抗膜方式や静電容量方式等による操作位置検出手段とを備えた、公知のタッチパネルを使用することができる。
【００２５】
（構成−モニタ−タッチパネルセンサ）
図２に戻り、タッチパネルセンサ２２は、タッチパネル２１の位置や回転角度を検出し、表示制御装置３０に出力するためのものであり、公知のポテンショメータやジャイロセンサを用いることができる。このタッチパネルセンサ２２が検出するタッチパネル２１の位置、すなわち画面の位置の具体的な内容は任意であり、例えば、当該タッチパネル２１の初期設置位置を基準として、当該車両の前後軸方向、左右軸方向、及び上下軸方向の座標値をタッチパネル２１の位置として検出させることができる。また、タッチパネルセンサ２２が検出するタッチパネル２１の回転角度の具体的な内容も任意であり、例えばタッチパネル２１の画面が車両の前後軸に直交するように設置されている状態を基準として、当該車両の左右軸周り、及び上下軸周りにおけるタッチパネル２１の回転角度を検出させることができる。
【００２６】
（構成−モニタ−カメラ）
カメラ２３は、モニタ２０側から車内の画像を撮影するためのものであり、図１に例示したように、タッチパネル２１の外枠部分に設置することができる。なお、カメラ２３の画角の範囲内に、運転席及び助手席に着座した搭乗者の輪郭を含めることができる程度に、当該画角が広いことが望ましい。また、所定の間隔でカメラ２３を２台設置することにより、これらのカメラ２３が撮影した画像に基づいて、被撮影物とカメラ２３との間の距離を特定することができる。例えば、図１の例ではカメラ２３を１台のみ示しているが、タッチパネル２１の外枠部分に、これら２台のカメラ２３を水平方向に沿って所定間隔を隔てて配置することができる。なお、カメラ２３の具体的な構成は任意で、例えばＣＭＯＳイメージセンサやＣＣＤイメージセンサ等の公知の撮像素子、及び魚眼レンズやプリズム等の公知の光学系部品を用いて構成されている。
【００２７】
（構成−表示制御装置）
図２に戻り、表示制御装置３０は、制御部３１及びデータ記録部３２を備えている。
【００２８】
（構成−表示制御装置−制御部）
制御部３１は、表示制御装置３０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示制御プログラムは、任意の記録媒体又はネットワークを介して表示制御装置３０にインストールされることで、制御部３１の各部を実質的に構成する。
【００２９】
この制御部３１は、機能概念的に、操作性情報取得部３１ａ及び表示制御部３１ｂを備えている。操作性情報取得部３１ａは、タッチパネル２１の操作者とタッチパネル２１との位置関係に起因してタッチパネル２１の操作性に影響を与える要因を特定する操作性情報を取得する操作性情報取得手段である。ここで、「操作者」とは、具体的には車両の運転者及び運転者以外の搭乗者（例えば助手席の搭乗者）である。また、「操作性情報」は、タッチパネル２１と操作者との間の物体の存在に関する物体情報、タッチパネル２１と操作者との間の距離を特定する距離情報、及びタッチパネル２１に対する操作者の操作入力角度を特定する操作入力角度情報を含んでいる。表示制御部３１ｂは、操作性情報に基づいて、タッチパネル２１の画面内の操作ボタン２４の位置を制御する制御手段である。また、表示制御部３１ｂは、カーナビゲーションやカーオーディオ等の各種車載機器に関する情報表示の制御も行う。これらの制御部３１の各構成要素によって実行される処理の詳細については後述する。
【００３０】
（構成−表示制御装置−データ記録部）
データ記録部３２は、表示制御装置３０の動作に必要なプログラム及び各種のデータ、例えばタッチパネル２１の寸法データ、タッチパネル２１上のカメラ２３の位置、あるいはタッチパネル２１に表示する操作ボタン画像の画像データ等を記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００３１】
（処理）
このように構成される表示制御システム１によって実行される表示制御処理について説明する。図３は表示制御処理のフローチャートである（以下の各処理の説明ではステップを「Ｓ」と略記する）。この表示制御処理は、例えば、タッチパネル２１の画面の切替に対応して新たな操作を行う必要が生じ、この新たな操作の入力を操作者から受け付けるために、表示制御部３１ｂが操作ボタン２４をタッチパネル２１に表示させる必要が生じた場合に、起動される。
【００３２】
この場合、操作性情報取得部３１ａは、例えば、タッチパネル２１のカメラ２３が撮影した車内の画像情報に基づき、公知の画像解析技術を用いて操作者を特定する（ＳＡ１）。
【００３３】
続いて、操作性情報取得部３１ａは、特定した操作者とタッチパネル２１との間に物体があるか否かを判定する（ＳＡ２）。例えば、タッチパネル２１のカメラ２３が撮影した車内の画像情報を取得し、当該画像情報に基づいて、公知の画像解析技術を用いて操作者の頭部や腕部の位置を推定し、当該推定した頭部や腕部の位置とカメラ２３との間に他の物体が抽出された場合には障害物があるものとし、他の物体が抽出されない場合には障害物がないものとすることができる。障害物となり得るものとしては、例えば、操作者の腕部とタッチパネル２１との間に位置しているハンドル、シフトレバー、ダッシュボードや、操作者とタッチパネル２１の表示面との間を遮蔽するタッチパネル２１の外枠等が挙げられる。
【００３４】
操作者とタッチパネル２１との間に物体があると判定した場合（ＳＡ２、Ｙｅｓ）、操作性情報取得部３１ａは当該判定結果を物体情報として表示制御部３１ｂに出力する。表示制御部３１ｂは、物体情報に基づいて、操作ボタン２４のタッチパネル２１における表示位置を、操作者による視認及び操作が可能な範囲に限定する（ＳＡ３）。例えば、ＳＡ２で判定を行う際に推定された操作者の頭部や腕部の位置、抽出された物体の位置、タッチパネル２１上のカメラ２３の位置、タッチパネル２１の寸法等の情報に基づき、障害物に遮蔽されることなく操作者が操作ボタン２４を視認し、操作することができるタッチパネル２１上の範囲を特定し、当該範囲内に操作ボタン２４の表示位置を限定することができる。図４は、操作ボタン２４のタッチパネル２１における表示位置を概略的に例示したタッチパネル２１の正面図である。例えば、図４に示したように操作者として運転者が特定された場合であって、操作者とタッチパネル２１との間にハンドルが物体として存在している場合、表示制御部３１ｂは、操作ボタン２４のタッチパネル２１における表示位置を、運転者がハンドルに遮蔽されずに操作ボタン２４の視認及び操作可能な範囲Ｐに限定する。
【００３５】
図３に戻り、ＳＡ３の処理の後、又はＳＡ２において物体がないと判定した場合（ＳＡ２、Ｎｏ）、操作性情報取得部３１ａは、シートセンサ１０から出力された情報に基づいて、操作者が着座しているシートの位置及びリクライニング角度を特定し、当該シート位置及び角度に基づいて、当該シートに着座している操作者の肩位置を推定する（ＳＡ４）。続いて、タッチパネルセンサ２２から出力された情報、及びデータ記録部３２に記録されているタッチパネル２１の寸法等の情報に基づいて、当該タッチパネル２１の各部の位置及びタッチパネル２１の回転角度を特定する（ＳＡ５）。ここで特定されるタッチパネル２１の各部の位置としては、例えば長方形のタッチパネル２１の各頂点の位置等が挙げられる。
【００３６】
続いて、操作性情報取得部３１ａは、ＳＡ４で推定した操作者の肩位置と、ＳＡ５で特定したタッチパネル２１の各部の位置との間の距離を算出する（ＳＡ６）。なお、タッチパネル２１に２台のカメラ２３が設けられている場合には、画像解析により抽出された各カメラ２３の画角における操作者の肩位置と、当該２台のカメラ２３の間隔とに基づいて、カメラ２３から肩位置までの距離を三角法により算出することもできる。
【００３７】
次に、操作性情報取得部３１ａは、算出した肩位置とタッチパネル２１の各部の位置との間の距離が所定の基準距離より大きいか否かを判定する（ＳＡ７）。この所定の基準距離の具体的な値としては、例えば、シートに着座している操作者が姿勢を変えることなく操作ボタン２４を操作可能な距離を設定することができる。
【００３８】
操作者の肩位置とタッチパネル２１の各部の位置との間の距離の少なくとも一つが基準距離より大きいと判定した場合（ＳＡ７、Ｙｅｓ）、操作性情報取得部３１ａはＳＡ６で算出した操作者の肩位置とタッチパネル２１の各部位置との間の距離を特定する距離情報を表示制御部３１ｂに出力する。表示制御部３１ｂは、距離情報に基づいて、操作ボタン２４のタッチパネル２１における表示位置を、操作者の肩位置と操作ボタン２４の表示位置との間の距離が基準距離以下となる範囲に限定する（ＳＡ８）。例えば、ＳＡ４で推定した操作者の肩位置、タッチパネル２１の位置、タッチパネル２１の寸法等の情報に基づき、肩位置と操作ボタン２４の位置との間の距離が基準距離以下となる範囲を特定し、当該範囲内に操作ボタン２４の表示位置を限定することができる。図４に示した例は、上述のＳＡ３で操作ボタン２４のタッチパネル２１における表示位置を限定した場合であるため、ＳＡ３において限定した範囲Ｐ内であって、さらに運転者の肩位置と操作ボタン２４の位置との間の距離が基準距離以下となる範囲Ｑ内に限定する。
【００３９】
図３に戻り、ＳＡ８の処理の後、又はＳＡ７において操作者の肩位置とタッチパネル２１の各部の位置との間の距離が基準距離以下と判定した場合（ＳＡ７、Ｎｏ）、操作性情報取得部３１ａは、ＳＡ６で推定した操作者の肩位置と、ＳＡ７で特定したタッチパネル２１の各部の位置及び角度とに基づいて、タッチパネル２１の各部に対する操作者の操作入力角度を算出する（ＳＡ９）。例えば、操作者の肩位置からタッチパネル２１に向かう単位ベクトルと、タッチパネル２１の画面の法線単位ベクトルとの内積を求めることにより、操作入力角度を算出することができる。あるいは、画像解析により抽出されたカメラ２３の画角における操作者の肩位置に基づいて、操作入力角度を算出することもできる。
【００４０】
ここで、タッチパネル２１に対する操作者の操作入力角度と操作性との関係について説明する。図５は、操作入力角度とタッチパネル２１との関係を概略的に例示したタッチパネル２１の断面図である。例えば、図５に示した操作入力Ｒのように、操作入力角度が比較的小さい場合には、操作者の操作入力方向に対する操作ボタン２４の投影面積が相対的に大きく、操作ボタン２４の操作性が良好な可能性が高い。一方、操作入力Ｓのように、操作入力角度が比較的大きい場合には、操作者の操作入力方向に対する操作ボタン２４の投影面積が相対的に小さく、操作ボタン２４の操作性が良好ではない可能性が高い。また、図５に例示したように、タッチパネル２１の各部に対する操作者の操作入力角度が一様でない場合、操作者からの距離が相対的に大きい場合でも、操作入力角度が小さいため操作性が相対的に良好となる場合も考えられる。すなわち、操作者が操作ボタン２４を操作可能な距離の範囲内において、可能な限り操作入力角度が小さくなる位置に操作ボタン２４を表示することが望ましい。
【００４１】
従って、図３に戻り、表示制御部３１ｂは、操作ボタン２４のタッチパネル２１における表示位置を、ＳＡ３及びＳＡ８において範囲を限定した場合にはその限定された範囲内において、ＳＡ９で算出した操作入力角度が最も小さくなる位置に限定する（ＳＡ１０）。
【００４２】
ＳＡ１０の処理の後、表示制御部３１ｂは、ＳＡ１０までの処理において限定された範囲内で操作ボタン２４の位置を決定し、タッチパネル２１に表示させる（ＳＡ１１）。以上の処理を実行した後、表示制御処理を終了する。
【００４３】
（効果）
このように本実施の形態１によれば、操作者とタッチパネル２１との位置関係に起因して当該タッチパネル２１の操作性に影響を与える要因を特定する操作性情報に基づいて、タッチパネル２１内の操作ボタン２４の位置を制御するので、操作性を向上させることができる。
【００４４】
また、操作性情報は、タッチパネル２１と操作者との間の物体の存在に関する物体情報であるので、障害物により遮蔽されることなく操作者が視認及び操作可能な位置に操作ボタン２４を表示させることができる。
【００４５】
また、操作性情報は、タッチパネル２１と操作者との間の距離を特定する距離情報であるので、シートに着座している操作者が姿勢を変えることなく操作可能な位置に操作ボタン２４を表示させることができる。
【００４６】
また、操作性情報は、タッチパネル２１に対する操作者の操作入力角度を特定する操作入力角度情報であるので、操作性が良好となる位置に操作ボタン２４を表示させることができる。
【００４７】
〔実施の形態２〕
次に、実施の形態２について説明する。この形態は、表示制御部３１ｂが、操作性情報に基づいて操作ボタン２４の形状、あるいは操作ボタン２４に対する操作入力を検出する検出領域の位置等を制御する形態である。なお、実施の形態２及びそれ以降の実施の形態の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００４８】
（処理）
実施の形態２に係る表示制御システム１によって実行される表示制御処理について説明する。図６は表示制御部３１ｂによって制御された状態のタッチパネル２１の断面図であり、（ａ）は操作ボタン２４の形状が制御された場合を例示した図、（ｂ）は検出領域の形状等が制御された場合を例示した図である。なお、本実施の形態２における表示制御処理は、以下に説明する内容を除いて実施の形態１で説明した表示制御処理と同様であるので、フローチャートの図示を省略する。
【００４９】
実施の形態１で説明した表示制御処理のＳＡ１０において、表示制御部３１ｂは、操作入力角度情報に基づいて、操作ボタン２４のタッチパネル２１における表示位置を、ＳＡ３及びＳＡ８において範囲を限定した場合にはその限定された範囲内において、ＳＡ９で算出した操作入力角度が最も小さくなる位置に限定するとともに（ＳＡ１０）、操作ボタン２４の表示サイズを拡大して表示するように設定する。例えば、初期の位置及び形状を基準に、表示面積を１０％から３０％程度拡大した相似図形を表示する。これにより、図６（ａ）に例示したように、操作者の操作入力方向に対する操作ボタン２４（図６（ａ）の例では、拡大前の操作ボタンを符号２４’、 操作ボタンの拡大された部分を符号２４”にて示す）の投影面積が拡大されるので、当該操作ボタン２４の視認性及び操作性を向上させることができる。
【００５０】
また、操作ボタン画像２４ａの表示サイズは変更せず、検出領域２４ｂのサイズのみを拡大するように設定することもできる。この場合も、例えば初期設定されている検出領域２４ｂの面積を１０％から３０％程度拡大した相似図形を拡大後の検出領域２４ｂとして設定することができる。これにより、図６（ｂ）に例示したように、操作者が操作ボタン２４の操作を行う場合に当該操作を検出可能な領域が拡大され、表示されている操作ボタン画像２４ａの位置から操作者の指先がずれてしまった場合であっても当該操作を検出することができるので、操作ボタンの操作性を向上させることができる（なお、図６（ｂ）では、図面理解を容易にするため、検出領域２４ｂを操作ボタン画像２４ａから若干離れた位置に表示しているが、実際には、操作ボタン画像２４ａと検出領域２４ｂは密接状に配置される）。あるいは、操作者が操作ボタン画像２４ａの表示位置よりも操作者に近い位置を操作する傾向を公知の学習機能等を用いて特定した場合に、検出領域２４ｂの位置を操作者に接近するように移動させることもできる。
【００５１】
（効果）
このように実施の形態２によれば、表示制御部３１ｂは、操作性情報に基づいて操作ボタン２４の形状を制御するので、操作者の操作入力方向に対する操作ボタン２４の投影面積を拡大し、当該操作ボタン２４の視認性及び操作性を向上させることができる。
【００５２】
また、表示制御部３１ｂは、操作性情報に基づいて、タッチパネル２１が操作ボタン２４に対する操作入力を検出する検出領域２４ｂの位置又は形状の少なくともいずれか一方を制御するので、表示されている操作ボタン画像２４ａの位置から操作入力された位置がずれている場合であっても当該操作を検出することができ、操作ボタン２４の操作性を向上させることができる。
【００５３】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００５４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００５５】
（表示制御処理について）
上記各実施の形態では、操作入力を操作者から受け付けるために、表示制御部３１ｂが操作ボタン２４をタッチパネル２１に表示させる必要が生じた場合に表示制御処理が起動されると説明したが、タッチパネル２１が初期設置された場合、タッチパネル２１の設置位置や回転角度が変更された場合、シート位置やリクライニング角度、ハンドル位置等の車内装備の配置が変更された場合等に表示制御処理を起動し、操作ボタン２４の種別毎に、当該操作ボタン２４の表示位置や形状等を予め決定し、操作ボタン２４の配置情報としてデータ記録部３２に記録してもよい。この場合において、実際に操作ボタン２４をタッチパネル２１に表示させる必要が生じた場合、表示制御部３１ｂは表示させる操作ボタン２４の種別に基づいて配置情報を参照し、当該操作ボタン２４の表示位置を特定することができる。
【００５６】
また、上記各実施の形態では、操作ボタンの種類によらず一律に操作者を特定していたが、操作ボタンの種類に基づいて、操作ボタンに対応する操作者を特定してもよい。例えば、操作ボタン２４の種類として運転者用ボタン又は運転者以外用ボタンを操作ボタン毎に予め登録しておき、運転者用ボタンを表示させる場合には、操作者として運転者を特定し、当該運転者の位置に基づいて表示制御を行い、運転者以外用ボタンを表示させる場合には、操作者として運転者以外の搭乗者（例えば助手席の同乗者）を特定し、当該運転者以外の搭乗者の位置に基づいて表示制御を行うように構成してもよい。
【００５７】
（物体の特定について）
上記各実施の形態では、タッチパネル２１のカメラ２３が撮影した車内の画像情報に基づいて物体を特定すると説明したが、他の手段により物体を特定してもよい。例えば、タッチパネル２１に公知の近接センサを設置し、当該近接センサにタッチパネル２１から所定の範囲内における物体を検出させることにより、物体を特定させてもよい。この場合、近接センサが物体の特定を実行する間はタッチパネル２１の操作を行わないように操作者に案内情報を出力する等により、操作者を物体として特定することを回避できる。あるいは、物体の位置や形状等を特定するための情報を、予めデータ記録部３２に格納しておき、表示制御処理実行時に表示制御部３１ｂが当該情報を参照するようにしてもよい。
【図面の簡単な説明】
【００５８】
【図１】本発明の実施の形態１に係る表示制御システムの外観を例示する斜視図である。
【図２】表示制御システムを例示するブロック図である。
【図３】表示制御処理のフローチャートである。
【図４】操作ボタンのタッチパネルにおける表示位置を概略的に例示したタッチパネルの正面図である。
【図５】操作入力角度とタッチパネルとの関係を概略的に例示したタッチパネルの断面図である。
【図６】表示制御部によって制御された状態のタッチパネルの断面図であり、（ａ）は操作ボタンの形状が制御された場合を例示した図、（ｂ）は検出領域の形状等が制御された場合を例示した図である。
【符号の説明】
【００５９】
１  表示制御システム
１０  シートセンサ
２０  モニタ
２１  タッチパネル
２２  タッチパネルセンサ
２３  カメラ
２４  操作ボタン
２４ａ  操作ボタン画像
２４ｂ  検出領域
３０  表示制御装置
３１  制御部
３１ａ  操作性情報取得部
３１ｂ  表示制御部
３２  データ記録部
【図１】
2010108185.tif 000003
【図２】
2010108185.tif 000004
【図３】
2010108185.tif 000005
【図４】
2010108185.tif 000006
【図５】
2010108185.tif 000007
【図６】
2010108185.tif 000008